(57)【要約】【課題】個々の光ディスクに適した再生速度で光ディスク高速再生する高速再生記録装置を提供することを目的とする。【解決手段】光ディスク高速再生記録装置（ＨＳＣ）において、最大再生速度検出部（３００；Ｓ６〜Ｓ４０）は第２のデジタルデータ（Ｓａｄ、Ｓｓｂ）のうちで、第２の光ディスク（ＣＤ）の記録領域（Ａｒ）の所定部分（Ａｒｅ）から再生されるものに基づいて、第１の光ディスク（ＣＤ）の全記録領域（Ａｒ）に共通して適用できる最大再生速度（Ｎｍａｘ）を検出し、光ディスク再生部（３００，Ｓ４２；１３０）は最大再生速度（Ｎｍａｘ）で、第１の光ディスク（ＣＤ）から第２のデジタルデータ（Ｓａｄ、Ｓｓｂ）を再生する。【選択図】　　　　図１
2004046953.tif 000002
【特許請求の範囲】
【請求項１】
第１のデジタルデータが記録されている第１の光ディスクを標準再生速度である第１の再生速度より大きな第２の再生速度で読み出して、第２のデジタルデータとして再生し、再生された第２のデジタルデータを書込可能な第２の光ディスクに記録する光ディスク高速再生記録装置であって、
前記第２のデジタルデータのうちで、前記第２の光ディスクの記録領域の所定部分から再生されるものに基づいて、前記第１の光ディスクの全記録領域に共通して適用できる最大再生速度を検出する最大再生速度検出手段と、
前記最大再生速度で、前記第１の光ディスクから前記第２のデジタルデータを再生する光ディスク再生手段と、
前記第２のデジタルデータを前記第２の光ディスクに記録する光ディスク記録手段とを備える光ディスク高速再生記録装置。
【請求項２】
前記所定部分は、前記第１の光ディスクの種類毎に代表的に定められる、当該第１の光ディスクを前記第２の再生速度で再生した際に最も再生不良を生じ易い部分であることを特徴とする請求項１に記載の光ディスク高速再生記録装置。
【請求項３】
前記第１の光ディスクがＣＬＶ制御される場合には、前記所定部分は、当該第１の光ディスクの最内周側であることを特徴とする請求項２に記載の光ディスク高速再生記録装置。
【請求項４】
前記所定部分は、当該所定部分を除く記録領域部分より小さいことを特徴とする請求項３に記載の光ディスク高速再生記録装置。
【請求項５】
前記第１の光ディスクがＣＤである場合には、前記全記録領域の総録音可能時間が７４分に対して前記所定部分は５分であることを特徴とする請求項４に記載の光ディスク高速再生記録装置。
【請求項６】
前記第１の光ディスクがＺＣＬＶ制御される場合には、前記所定部分は、当該第１の光ディスクの内周側であることを特徴とする請求項２に記載の光ディスク高速再生記録装置。
【請求項７】
前記所定部分は、前記記録領域において当該所定部分より内周側の第１の部分および外周側の第２の部分より小さいことを特徴とする請求項６に記載の光ディスク高速再生記録装置。
【請求項８】
前記所定部分は、前記第１の部分以下であり、当該第１の部分は前記第２の部分以下であることを特徴とする請求項７に記載の光ディスク高速再生記録装置。
【請求項９】
前記第１の光ディスクがＺＣＡＶ制御される場合には、前記所定部分は、当該第１の光ディスクの最外周側であることを特徴とする請求項２に記載の光ディスク高速再生記録装置。
【請求項１０】
前記所定部分は、前記記録領域において当該所定部分より外周側の第３の部分および内周側の第４の部分より小さいことを特徴とする請求項９に記載の光ディスク高速再生記録装置。
【請求項１１】
前記所定部分は、前記第３の部分以下であり、当該第３の部分は前記第４の部分以下であることを特徴とする請求項１０に記載の光ディスク高速再生記録装置。
【請求項１２】
最大再生速度検出手段は、
前記第２の再生速度で前記所定部分から前記第２のデジタルデータを再生して出力する高速再生手段と、
前記高速再生手段により再生された前記第２のデジタルデータの品質を判定する再生デジタルデータ品質判定手段と、
前記再生された第２のデジタルデータの品質が不良と判定される場合には、品質が良と判定されるまで、前記第２の再生速度を所定速度だけ減じて第３の再生速度を決定し、当該第３の再生速度で前記高速再生手段に前記所定部分から前記第２のデジタルデータを再生して前記再生デジタルデータ品質判定手段に出力させる高速再生制御手段とを備える請求項１に記載の光ディスク高速再生記録装置。
【請求項１３】
前記所定速度は、前記第２の再生速度より前記第１の生成速度を減じた値より小さいことを特徴とする請求項１２に記載の光ディスク高速再生記録装置。
【請求項１４】
最大再生速度検出手段は、さらに、前記第２のデジタルデータの品質が良と判定された時の第３の速度を前記最大再生速度として決定する最大速度検定手段を備える請求項１３に記載のの光ディスク高速再生記録装置。
【発明の詳細な説明】
【０００１】
【発明の属する技術分野】
本発明は、光ディスクをその標準再生速度より大きな複数の速度で再生して記録されているデータを読み出し、書込／書換可能な光ディスクに記録する光ディスク高速再生記録装置に関し、さらに詳述すれば、個々の光ディスクに適した再生速度で高速再生する高速再生記録装置に関する。
【０００２】
【従来の技術】
近年、ＣＤやＤＶＤに代表される複数種類の光ディスクに記録されたデータを本来の再生速度より大きな速度で再生すると同時に、別の書込／書換可能な光ディスクに記録する光ディスク高速再生記録装置が開発されている。
このような光ディスク高速再生記録装置の代表的なものとして、記録元の光ディスクとしてＣＤを用い、書込／書換可能光ディスクとしてＭＤを用いたものを例として、その動作について簡単に説明する。音楽用或いは非音楽用データが記録されているＣＤが標準再生速度より高速で回転され、トラックより小さな単位で記録データが読み出されて、所定の記録単位（例えば、読出単位／トラックより小さなデータブロック毎またはＣＤ毎）に、ＭＤに書き込まれる。
【０００３】
なお、この書込データに関する管理情報がＭＤのＵＴＯＣ（Ｕｓｅｒ　Ｔａｂｌｅ　ｏｆ　Ｃｏｎｔｅｎｔ）領域に書き込まれて、ＣＤから再生されたデータのＭＤへの記録が完了する。このＵＴＯＣ領域に書き込まれる管理情報をＵＴＯＣ情報と呼ぶ。なお、ＵＴＯＣ領域およびＵＴＯＣ情報は、データの書込に応じて、ユーザによって書込／書換えることができる。一方、ＣＤのような読み出し専用の光ディスクに設けられるＴＯＣ（Ｔａｂｌｅ　ｏｆ　Ｃｏｎｔｅｎｔ）領域およびＴＯＣ情報は、ユーザが任意に書込或いは書換えできないことはよく知られていることである。
【０００４】
光ディスク高速再生記録装置においては、記録元の光ディスク（ＣＤ）をその正規の再生速度の数倍の高速で回転させてデータを読み出すので、通常再生時では問題にならない程度のＣＤの傷や変形、装着精度、回路のノイズ等のデータ再生阻害要因や、それらの要因の組み合わせによって、ＣＤから記録データを正しく読み出せないことがあり、その結果、ＭＤに正しく記録できないことがある。このような場合は、いくらユーザが高速再生記録を望んでも、書込／書換可能光ディスクに記録するためには、ＣＤからデータを正しく読み出せるまで、再生速度を落としてやる必要がある。
【０００５】
読出阻害要因の内で、ＣＤの傷や変形という媒体の物理的欠陥自体は、再生速度そのものには影響を受けない。しかし、ＣＤの回転速度、つまり再生速度が小さいほど、光ピックアップによる光読み出しに関する阻害度合いも小さくなることにより、データの読み出し状態が改善される。また、ＣＤのＣＤドライブに対する装着精度という位置精度自体も、再生速度そのものは影響を受けない。しかし、ＣＤの回転速度が小さくなれば、位置精度誤差を原因とする光ピックアップとピットとの位置関係の変化の度合いが小さくなり、光読み出し状態が改善される。さらに、回路のノイズ等の電気的阻害要因自体も、基本的には、ＣＤの回転速度の影響を受けないが、電気処理としての再生速度の影響を受ける。つまり、再生速度が小さくなれば、ノイズの影響も小さくなり、データの再生が改善される。
【０００６】
上述の異なるデータ生成阻害要因のそれぞれにおいても、高速再生時に記録データが正常に再生できないことが、ＭＤに正常に記録できないことの直接の原因である。そのために、光ディスク高速再生記録装置においては、データ再生障害の真因の別に関わらず、ＣＤの回転速度、つまり再生速度を落として、記録データの正常再生の回復をまって、ＭＤに記録するように構じられている。
【０００７】
上述の記録元の光ディスクの一例として説明されているＣＤは、ＣＬＶ（Ｃｏｎｓｔａｎｔ　Ｌｉｎｅａｒ　Ｖｅｌｏｃｉｔｙ）制御と言われる線速度が一定になるように回転制御される。つまり、読み出し位置が内周側ほど外周側に比べて高速で回転される。また、ＣＤ以外の光ディスクの種類によって、ＣＡＶ（Ｃｏｎｓｔａｎｔ　Ａｎｇｕｌａｒ　Ｖｅｌｏｃｉｔｙ）、ＺＣＡＶ（Ｚｏｎｅ　Ｃｏｎｓｔａｎｔ　Ａｎｇｕｌａｒ　Ｖｅｌｏｃｉｔｙ）、やＺＣＬＶ（Ｚｏｎｅ　Ｃｏｎｓｔａｎｔ　Ｌｉｎｅａｒ　Ｖｅｌｏｃｉｔｙ）の回転制御方法がある。よって、再生速度が光ディスクの回転速度と固定的な関係ではなく、光ディスクの読出／再生位置によっては、同一の再生速度であっても光ディスクは異なる速度で回転される。しかし、何れの制御方法においても、光ディスク高速再生記録装置において、読み出しができない場合には、再生速度（回転速度）を落として記録データの読み出しの改善をまつと言う点においては同じである。
【０００８】
【発明が解決しようとする課題】
上述のように、光ディスク高速再生記録装置においては、同じ再生速度であっても、読出／再生位置によって、光ディスクの回転速度は異なるので、上記の３つの再生阻害要因の寄与率も読出／再生位置によって変化する。つまり、光ディスクの半径方向に、均一な大きさの再生阻害要因が存在する場合に、一定の再生速度で高速再生記録をしようとした場合に、外周側（内周側）では無事に再生できていたものが内周側（外周側）では再生できなくなったりする。さらに、実際には、再生阻害要因の大きさは一定でなく、また存在場所も様々であるので、高速再生記録時には、突然に再生できなくなったり、或いは、突然再生できるようになったりする。
【０００９】
しかしながら、上例の光ディスク高速再生記録装置においては、ＣＤから記録データを読み出して再生する毎に、順次ＭＤに実際に記録し、トラック単位或いはＣＤ単位でＵＴＯＣ情報を書き込んで、ＭＤへの記録を確定する。そのために、ＭＤにデータを記録の途中に、再生不良が発生した場合は、ＵＴＯＣ情報の書込タイミングによっては、少なくともトラック単位或いはＣＤ単位で不良データがＭＤに記録される。このようなＭＤでは、記録された不良データの種類或いはその場所によっては、ＣＤから読み出されてＭＤに記録されたデータがトラック単位或いはＣＤ単位でＭＤから読み出せないという不都合を生じる。
【００１０】
このような事態を防止するには、再生異常が発生すれば、即刻再生速度を段階的に減じて、その読出位置で正常再生が可能な適正な再生速度を求めて、その減速された高速再生速度でデータ再生を再開する必要がある。この高速再生記録を再開する時の再生速度は、高速再生記録を開始した当初の再生速度に比べて、所定の速度だけ減速されており、この意味において減速再生速度と呼ぶ。
【００１１】
但し、再生不良が発生して読出位置から、新たに求められた適正な減速再生速度で再生される読出データは、それまでに再生されてＭＤに記録されている読出データ単位とは再生および記録条件が異なるために、記録されるデータの連続性が失われてしまう。その結果、減速再生速度でのデータ再生再開する読出位置は、再生不良が生じた位置より所定数の読出データ単位分だけ遡る必要がある。
【００１２】
つまり、読出データ単位はそれ単独でＭＤに記録して、それを再生しても実際的に意味をもたず、複数の読出データ単位が所定の規則に従ってＭＤに記録されることによって、１つの意味ある記録データ単位がＭＤ上に構成されて、初めてユーザが利用できる。一例としては、ＣＤに音楽が記録されている場合には、所定数の読出データ単位が所定の規則に従って連続的にＭＤに記録されて、ＭＤ場に１つの曲に対応するトラックデータが完成される。また、ＣＤにコンピュータデータが記録されている場合は、所定数の読出データ単位が所定の規則に従って連続的にＭＤに記録されて、１つのセクタデータが完成され、そのセクタデータがまた所定数集まって、１つのファイルを完成する。
【００１３】
しかしながら、再生不良が発生した読出位置から、新たに求められた適正な減速再生速度で再生される読出データは、それまでに再生されてＭＤに記録されている読出データ単位とは再生および記録条件が異なるために、記録されるデータの連続性が失われてしまう。結果、そのような連続性が失われたデータ単位を、既に記録されいる読出データ単位に引き続き記録して、１トラックデータとしてＭＤに記録しても、そのように内部に、不連続欠陥を有するトラックデータからは、正しい情報を再現できない。
【００１４】
このような記録データ単位における不連続欠陥を防止するために、減速再生速度が求められれば、再生不良が生じた読出データ単位が属する記録データ単位（トラック、ファイル）の読出開始位置まで戻って、減速再生速度で再び再生を開始する。つまり、当初の高速再生速度で既に再生した読出データ単位を再度、但し、異なる条件で再生する必要がある。
【００１５】
しかしながら、上述のように、再生阻害要因の大きさは一定でなく、また存在場所も様々であるので、高速再生記録時には、突然に再生できなくなったり、或いは、突然再生できるようになったりする。言い換えれば、新たに設定した減速再生速度で準高速再生を再開しても、前回再生不良が発生した読出位置からほんの数個の読出単位のデータを再生しただけで、属している記録単位全体の再生が完了する前に、再び再生不良が生じることが少なからずある。
【００１６】
このような、減速再生速度を求めた後に、また読出不良発生頻度が高くまた読出不良発生間隔が小さいほど、既に再生したデータ単位を重複して再生する無駄な作業負荷が大きくなり、本来目的とされている高速再生記録機能が著しく損なわれる。最悪の場合には、ＣＤの正規の再生速度での１倍速再生記録の場合よりも、時間を要する事態を招く。
【００１７】
よって、本発明は、光ディスクをその標準再生速度より大きな速度で記録されているデータを読出・再生し、再生されたデータを再生不良に起因する不良データを除いて書込／書換可能な光ディスクに記録するべく、個々の光ディスクに適した再生速度で高速再生する高速再生記録装置を提供することを目的とする。
【００１８】
【課題を解決するための手段および発明の効果】
第１の発明は、第１のデジタルデータが記録されている第１の光ディスクを標準再生速度である第１の再生速度より大きな第２の再生速度で読み出して、第２のデジタルデータとして再生し、再生された第２のデジタルデータを書込可能な第２の光ディスクに記録する光ディスク高速再生記録装置であって、
第２のデジタルデータのうちで、第２の光ディスクの記録領域の所定部分から再生されるものに基づいて、第１の光ディスクの全記録領域に共通して適用できる最大再生速度を検出する最大再生速度検出部と、
最大再生速度で、第１の光ディスクから第２のデジタルデータを再生する光ディスク再生部と、
第２のデジタルデータを第２の光ディスクに記録する光ディスク記録部とを備える光ディスク高速再生記録装置。
【００１９】
上述のように、第１の発明においては、光ディスク全体を同一の再生速度で高速再生しても、再生不良を生じない。、
【００２０】
第２の発明は、第１の発明において、所定部分は、第１の光ディスクの種類毎に代表的に定められる、第１の光ディスクを第２の再生速度で再生した際に最も再生不良を生じ易い部分であることを特徴とする。
【００２１】
第３の発明は、第２の発明において、第１の光ディスクがＣＬＶ制御される場合には、所定部分は、第１の光ディスクの最内周側であることを特徴とする。
【００２２】
第４の発明は、第３の発明において、所定部分は、所定部分を除く記録領域部分より小さいことを特徴とする。
【００２３】
第５の発明は、第４の発明において、第１の光ディスクがＣＤである場合には、全記録領域の総録音可能時間が７４分に対して所定部分は５分であることを特徴とする。
【００２４】
第６の発明は、第２の発明において、第１の光ディスクがＺＣＬＶ制御される場合には、所定部分は、第１の光ディスクの内周側であることを特徴とする。
【００２５】
第７の発明は、第６の発明において、所定部分は、記録領域において所定部分より内周側の第１の部分および外周側の第２の部分より小さいことを特徴とする。
【００２６】
第８の発明は、第７の発明において、所定部分は、第１の部分以下であり、第１の部分は第２の部分以下であることを特徴とする。
【００２７】
第９の発明は、第２の発明において、第１の光ディスクがＺＣＡＶ制御される場合には、所定部分は、第１の光ディスクの最外周側であることを特徴とする。
【００２８】
第１０の発明は、第９の発明において、所定部分は、記録領域において所定部分より外周側の第３の部分および内周側の第４の部分より小さいことを特徴とする。
【００２９】
第１１の発明は、第１０の発明において、所定部分は、第３の部分以下であり、第３の部分は第４の部分以下であることを特徴とする。
【００３０】
第１２の発明は、第１の発明において、最大再生速度検出部は、
第２の再生速度で所定部分から第２のデジタルデータを再生して出力する高速再生部と、
高速再生部により再生された第２のデジタルデータの品質を判定する再生デジタルデータ品質判定部と、
再生された第２のデジタルデータの品質が不良と判定される場合には、品質が良と判定されるまで、第２の再生速度を所定速度だけ減じて第３の再生速度を決定し、第３の再生速度で高速再生部に所定部分から第２のデジタルデータを再生して再生デジタルデータ品質判定部に出力させる高速再生制御部とを備える。
【００３１】
上述のように、第１２の発明においては、高速再生記録装置で予め設定しておいた最大高速再生速度で再生できないような光ディスクにも適した最大高速再生速度を設定できる。
【００３２】
第１３の発明は、第１２の発明において、所定速度は、第２の再生速度より第１の生成速度を減じた値より小さいことを特徴とする。
【００３３】
第１４の発明は、第１３の発明において、最大再生速度検出部は、さらに、第２のデジタルデータの品質が良と判定された時の第３の速度を最大再生速度として決定する最大速度検定部を備える。
【００３４】
【発明の実施の形態】
以下に、図１、図２、図３、図４、図５、および図６を参照して、本発明の実施の形態にかかる光ディスク高速再生装置について説明する。図１に示すように、光ディスク高速再生記録装置ＨＳＣは、大別して、コンビネーションドライブ１３０、読出データ検出器２００、ＭＤドライブ２３０、オペレーションコントローラ３００、表示部４００を含む。なお、光ディスク高速再生記録装置ＨＳＣには、コンビネーションドライブ１３０およびＭＤドライブ２００から読み出された信号に種々な処理を施して、音声信号、映像、或いはコンピュータデータを生成してスピーカやモニター或いは他の記録装置に出力する読出信号処理部も含まれるが、本発明の特徴ではないので、図示および説明を省く。
【００３５】
表示部４００は、好ましくは、蛍光表示管等などの発光手段で構成されて、光ディスク高速再生記録装置ＨＳＣの動作モードなどの情報を光学的にユーザに提示する。オペレーションコントローラ３００は、コンビネーションドライブ１３０、ＭＤドライブ２００、上述の読出信号処理部（図示せず）、および表示部４００に接続されて、光ディスク高速再生記録装置ＨＳＣ全体の動作を制御する。
【００３６】
コンビネーションドライブ１３０は、少なくとも１つの光ディスクドライブ１３２、ドライブシステムコントローラ１３４、再生速度切替器１３６、および光ディスク制御器（図１では、「ＯＤＣ」と表示）１３８を含む。光ディスクドライブ１３２は、異なる光ディスクメディアを装着して、同光メディアから記録データを読み出して光ディスク制御器１３８に出力する。なお、光ディスクドライブ１３２は、装着する光ディスクの種類を検出する手段を備え、検出された光ディスクの種類毎に、異なる光ディスクドライブとして認識される。よって、本明細書においては、説明の便宜上、それぞれを異なるドライブとして説明する。つまり、光ディスクドライブ１３２は、ＣＤドライブ１３２＿１、ＤＶＤドライブ１３２＿２、ＶＣＤドライブ１３２＿３、およびＭＰ３ドライブ１３２＿４等に代表される光ディスクの再生装置を含む。
【００３７】
ＣＤドライブ１３２＿１は、装着されるＣＤから音楽データ或いはコンピュータプログラム等のデジタルデータを読み出してＣＤデータＳｃｄとして出力する。ＤＶＤドライブ１３２＿２は、ＤＶＤからＭＰＥＧデータＳｄｖを再生して出力する。ＶＣＤドライブ１３２＿３はビデオＣＤから音声信号を再生して、ビデオＣＤ音声信号Ｓｖｄとして出力する。ＭＰ３ドライブ１３２＿４は、光ディスクに記録されたＭＰ３ファイルから音声データを再生して、ＭＰ３音声信号Ｓｍｐとして出力する。ドライブシステムコントローラ１３４は、光ディスクドライブ１３２に接続されて、コンビネーションドライブ制御信号ＳＣｃを相互に交換すると共に光ディスクドライブ１３２の動作を制御し、さらに光ディスクドライブ１３２に装着されている光ディスクの種類を検出する。
【００３８】
ＭＤドライブ２３０は、ＭＤシステムコントローラ２３０＿１と書込読出器２３０＿３を含む。ＭＤドライブ２３０には、さらに、ＭＤを回転させる駆動手段およびその関連の部材も含まれるが、それらは本発明の特徴とするものではないので説明を省く。ＭＤドライブ２３０は、読出データ検出器２００を介してコンビネーションドライブ１３０から入力されるＣＤから読み出し再生されたＣＤデータＳｃｄをＭＤに書込或いはＭＤに書かれているデータを読み出す。ＭＤシステムコントローラ２３０＿１は、オペレーションコントローラ３００から入力されるＭＤドライブ状態信号ＳＭｍおよびコンビネーションドライブ状態信号ＳＭｃに基づいて、書込読出器２３０＿３の書込／書換可能光ディスク２３０＿５（ＭＤ）に対する書込／読出を制御する。
【００３９】
オペレーションコントローラ３００は、好ましくは、受光器３２０、およびリモコン３３０を含む。ユーザは、リモコン３３０を操作して、光ディスク高速再生記録装置ＨＳＣに対する指示を与えることができる。つまり、ユーザの操作に応じて、リモコン３３０はリモコン信号ＳＲを照射する。受光器３２０は、リモコン３３０から照射されたリモコン信号ＳＲを受けて、ユーザの操作意志を反映したユーザ指示信号ＳＵをオペレーションコントローラ３００に出力する。
【００４０】
オペレーションコントローラ３００は、受光器３２０から入力されるユーザ指示信号ＳＵに基づいて、コンビネーションドライブ１３０の動作を制御信号するためのコンビネーションドライブ制御信号ＳＯｃを生成して、ドライブシステムコントローラ１３４に出力する。ドライブシステムコントローラ１３４は、コンビネーションドライブ制御信号ＳＯｃに基づいて、コンビネーションドライブ制御信号ＳＣｃを生成して、光ディスクドライブ１３２を制御する。一方、ドライブシステムコントローラ１３４は、光ディスクドライブ１３２に装着されている光ディスクの種別を表すメディア識別情報やコンビネーションドライブ１３０の動作状態情報を含むコンビネーションドライブ状態信号ＳＭｃを生成してオペレーションコントローラ３００に出力する。
【００４１】
オペレーションコントローラ３００は、ユーザ指示信号ＳＵ、コンビネーションドライブ状態信号ＳＭｃ、読出／再生状態信号Ｓｊｒ、およびＭＤドライブ状態信号ＳＭｍに基づいて、ＭＤドライブ２３０の動作を制御するＭＤ制御信号ＳＣｍを生成して、ＭＤドライブ２３０に出力する。
【００４２】
本実施の形態においても、光ディスク高速再生記録装置ＨＳＣは好ましくは、記録元の光ディスクとしてＣＤを用い、書込／書換可能光ディスクとしてＭＤ（書込／書換可能光ディスク２３０＿５）を用いる。よって、ドライブシステムコントローラ１３４は、オペレーションコントローラ３００から入力されるコンビネーションドライブ制御信号ＳＣｃに指示される再生速度に対応する回転速度を表す回転速度指示信号Ｓｒｎを生成して、再生速度切替器１３６に出力する。なお、ドライブシステムコントローラ１３４は、対象とする光ディスクの回転制御方法の種類（ＺＣＡＶ、ＺＣＬＶ、やＣＡＶ）に応じて、ユーザが指定する再生速度で回転させるように回転速度指示信号Ｓｒｎを生成する。
【００４３】
再生速度切替器１３６は、回転速度指示信号Ｓｒｎに基づいて、ＣＤドライブ１３２＿１を、ユーザが指定する再生速度に対応した速度で回転させる。つまり、ＣＤの場合はＣＬＶ制御のために、データの読出速度である読出位置における線速度がユーザの指定再生速度になるように、半径方向上の位置に関して回転速度は変化させられる。再生速度切替器１３６は、ＣＤからデータを読み出している速度を表す読出速度信号Ｓｒｓを生成して、光ディスク制御器１３８に出力する。
【００４４】
光ディスク制御器１３８は、読出速度信号Ｓｒｓに基づいて、ＣＤドライブ１３２＿１から入力されるＣＤデータＳｃｄから、オーディオデータ（或いはコンピュータコンテンツデータ）ＳａｄとサブコードＳｓｂを取り出して読出データ検出器２００に出力する。なお、光ディスク制御器１３８から出力されるデータは、それぞれ記録元の光ディスクの種類によって異なるが、基本的にはＣＤの場合のオーディオデータＳａｄに相当するコンテンツデータと、サブコードＳｓｂに相当する管理データが出力される。この意味において、ＣＤデータＳｃｄから取り出されるオーディオデータＳａｄおよびサブコードＳｓｂを、必要に応じてそれぞれ、コンテンツデータＳａｄおよびコンテンツ管理データＳｓｂと呼称する。
【００４５】
読出データ検出器２００は、コンテンツ管理データＳｓｂとコンテンツ管理データＳｓｂに基づいて、ＣＤからのデータの読出／再生が正常であるか否かを表す、再生状態信号Ｓｊｒを生成して、オペレーションコントローラ３００に出力する。
【００４６】
オペレーションコントローラ３００は、さらに、ユーザ指示信号ＳＵに基づいて、ＣＤドライブ１３２＿１に装着されたＣＤを正規の再生速度のＮ倍（Ｎは任意の正の整数）で高速再生して、再生されたデータをＭＤ（書込／書換可能光ディスク２３０＿５）に記録させる。また、オペレーションコントローラ３００は、上述のユーザ指示信号ＳＵ、コンビネーションドライブ状態信号ＳＭｃ、およびＭＤドライブ状態信号ＳＭｍに基づいて、光ディスク高速再生記録装置ＨＳＣの運転状態を表す運転状態表示信号ＳＯｄを生成して表示部４００に出力する。表示部４００は、運転状態表示信号ＳＯｄに基づいて、光ディスク高速再生記録装置ＨＳＣの運転状態を光学表示を用いてユーザに提示する。
【００４７】
上述の如く構成された光ディスク高速再生記録装置ＨＳＣの具体的な動作を説明する前に、図３〜６を参照して、本発明において、個々の光ディスクに適した高速再生速度の決定方法について説明する。通常の１倍速再生時の時には問題とならない程度の記録元の光ディスクの傷や変形、装着精度、回路のノイズ等のデータ再生阻害要因や、それらの要因の組み合わせによる再生阻害度は、記録元の光ディスクを通常の数倍という高速で回転させることによって、増大されることが主な原因であることは明らかである。さらに、光ディスクの種類によって、回転制御方法が異なるために、同一の再生速度であっても、光ディスクの読出位置によっては、回転速度が異なる。それ故に、仮に同一の再生阻害要因を有する複数種類の光ディスクを同一の速度で高速再生しても、再生不良が発生する読みとり位置は、光ディスクの種類（回転制御方法）によって異なる。
【００４８】
なお、再生阻害要因の内で、光ディスクの傷や変形という媒体の物理的欠陥や、光ディスクの装着不良という位置精度誤差が大きければ、その再生不良に対する影響は回転速度の影響力より十分に大きくなる。しかしながら、実際の光ディスクおよびそのドライブ装置の製造品質からみて、媒体の物理的欠陥や取り付け位置精度の影響より、光ディスクの回転数（ｒｐｍ）の影響の方が遙かに大きいと判断される。
【００４９】
よって、本発明においては、この判断に基づいて、高速記録再生動作を開始する前に、記録元の光ディスクの記録領域の内で、回転速度（ｒｐｍ）が最も高い領域およびその周辺で安定して再生できる最も高い再生速度を、その光ディスクを光ディスク高速再生記録装置ＨＳＣで許容できる最高再生速度として決定する。そして、決定された許容最高再生速度でその光ディスクの高速再生記録を開始するものである。いわば、光ディスクの記録領域の中で高速再生の悪影響を最も被りやすい部分での高速再生性能を評価し、その結果をもってその光ディスクの許容最高再生速度を決定するものである。この意味において、光ディスクの高速再生の悪影響を受けやすい記録領域を再生評価領域と定義する。
【００５０】
次に、図３〜図６を参照して、回転制御方式の異なる光ディスクにおける評価領域について、簡単に説明する。
図３に、ＣＬＶ制御される光ディスクの記録領域を模式的に示す。同図において、半径方向の２本の両矢印の内で、内周側の矢印は、再生時に他の記録領域に比べて高速（角速度）で回転されて再生不良を生じやすい不安定高速再生位置範囲Ｌｅを示している。そして、外周側の矢印は、不安定読出位置範囲Ｌｅに比べて再生不良を生じ難い外周側安定高速再生位置範囲Ｌｎｏを示している。そして、不安定高速再生位置範囲Ｌｅと外周側安定高速再生位置範囲Ｌｎｏとを併せたものが、この光ディスクの全再生範囲Ｌｒである。
【００５１】
全再生範囲Ｌｒに対応するのがこの光ディスクの記録領域Ａｒであり、不安定高速再生位置範囲Ｌｅに対応するのが不安定高速再生領域Ａｒｅであり、そして、外周側安定高速再生位置範囲Ｌｎｏに対応するのが外周側安定高速再生領域Ａｒｎｏである。なお、不安定高速再生領域Ａｒｅが本光ディスクにおける再生評価領域である。
不安定高速再生位置範囲Ｌｅは外周側安定高速再生位置範囲Ｌｎｏより小さく、さらに全再生範囲Ｌｒに占める不安定高速再生位置範囲Ｌｅの割合が小さいほど、光ディスクの許容最高再生速度を効率良く決定できる。しかしながら、上述の回転速度（ｒｐｍ）以外の再生阻害要因の影響も考慮して決定される。なお、ＣＬＶ制御される光ディスクの代表的例である音楽用ＣＤの場合には、総録音時間（Ｌｒ、Ａｒ）が７４分の場合、５分程度の記録領域（Ｌｅ、Ａｒｅ）が再生評価領域として設定されるのが好ましい。
【００５２】
図４に、ＣＡＶ制御される光ディスクの記録領域を模式的に示す。同図において、半径方向の２本の両矢印の内で、外周側の矢印は、再生時に他の記録領域に比べて高速（線速度）で回転されるので、再生不良を生じやすい不安定高速再生位置範囲Ｌｅを示している。そして、内周側の矢印は、不安定読出位置範囲Ｌｅに比べて再生不良を生じ難い内周側安定高速再生位置範囲Ｌｎｉを示している。この光ディスクにおいても、不安定高速再生位置範囲Ｌｅは内周側安定高速再生位置範囲Ｌｎｉより小さく、さらに全再生範囲Ｌｒに占める不安定高速再生位置範囲Ｌｅの割合が小さいほど、光ディスクの許容最高再生速度を効率良く決定できる。なお、内周側安定高速再生位置範囲Ｌｎｉには、内周側安定高速再生領域Ａｒｎｉが対応する。
【００５３】
図５に、ＺＣＬＶ制御される光ディスクの記録領域を模式的に示す。ＺＣＬＶ制御においては、半径方向に設けられた複数のゾーン内部ではＣＬＶ制御される。つまり、内周部の一部で回転速度（ｒｐｍ）を落とし、残りの部分を最高速度で読み出すために、内周側から少し離れた位置が不安定高速再生位置範囲Ｌｅとなり、その両側が内周側安定高速再生位置範囲Ｌｎｉと外周側安定高速再生位置範囲Ｌｎｏとなる。なお、不安定高速再生位置範囲Ｌｅには記録領域が不安定高速再生領域Ａｒｅが対応し、内周側安定高速再生位置範囲Ｌｎｉに内周側安定高速再生領域Ａｒｎｉが対応し、外周側安定高速再生位置範囲Ｌｎｏに外周側安定高速再生領域Ａｒｎｏが対応する。好ましくは、不安定高速再生位置範囲Ｌｅ≦内周側安定高速再生位置範囲Ｌｎｉ≦外周側安定高速再生位置範囲Ｌｎｏの関係がある。ＺＣＬＶ制御される光ディスクとしては、ＤＶＤ−ＲＡＭがある。
【００５４】
図５に、ＺＣＡＶ制御される光ディスクの記録領域を模式的に示す。ＺＣＬＶ制御においては、半径方向に設けられた複数のゾーン内部ではＣＡＶ制御される。そして、各ゾーン間で各速度の差ができるだけ小さくなるように回転制御される。結果、外周側のゾーンにおける方が内周側のゾーンにおけるより高速（線速度）で回転される。好ましくは、不安定高速再生位置範囲Ｌｅ≦外周側安定高速再生位置範囲Ｌｎｏ≦内周側安定高速再生位置範囲Ｌｎｉの関係がある。ＺＣＡＶ制御される光ディスクとしては、ＭＯがある。
【００５５】
なお、図３〜図６を参照して、説明した光ディスクの種別、制御方式、および不安定高速再生位置範囲Ｌｅ（不安定高速再生領域Ａｒｅ）、外周側安定高速再生位置範囲Ｌｎｏ（外周側安定高速再生領域Ａｒｎｏ）、内周側安定高速再生位置範囲Ｌｎｉ（内周側安定高速再生領域Ａｒｎｉ）の関係を規定するデータが、予めオペレーションコントローラ３００に格納されている。
【００５６】
次に、図２に示すフローチャートを参照して、光ディスク高速再生記録装置ＨＳＣによる光ディスク高速再生記録動作についてのみ説明する。光ディスク高速再生記録装置ＨＳＣに電源が投入されてその動作が開始されると、先ず、
ステップＳ２において、ユーザ指示信号ＳＵに基づいて、オペレーションコントローラ３００において光ディスクの高速再生記録（Ｎ倍速再生記録）の指示がされているか否かが判断される。Ｎｏの場合は、本ステップの処理を繰り返して、Ｙｅｓと判断された時点で、制御は次のステップＳ４に進む。
【００５７】
ステップＳ４において、ユーザ指示信号ＳＵに基づいて、オペレーションコントローラ３００は、記録元の光ディスクおよび記録先光ディスクを決定する。さらに、決定された記録元の光ディスクに応じて不安定高速再生領域Ａｒｅが決定される。上述のように、コンビネーションドライブ１３０およびＭＤドライブ２３０には、それぞれ、記録元光ディスク（ＣＤ）およびＭＤ（記録先光ディスク）の装着の有無が自動的に検出される。よって、記録元光ディスク（ＣＤ）或いは記録先光ディスク（ＭＤ）が装着されていない場合には、ユーザは高速再生記録を選択できないので、本ステップにおいては、必ず記録元光ディスクおよび記録先光ディスクが決定される。なお、本例においては、ＣＤおよびＭＤがそれぞれ、記録元光ディスクおよび記録先光ディスクとして決定されると共に認識される。そして、制御は次のステップＳ６に進む。
【００５８】
ステップＳ６において、オペレーションコントローラ３００は、ユーザ指示信号ＳＵに基づいて、記録元光ディスクの正規の再生速度の何倍の速度で再生するかを規定する高速再生倍数Ｎを検出する。つまり、本例においては、ＣＤを正規再生速度の何倍で再生して、ＭＤに記録するかが決定される。本ステップで決定された高速再生倍数Ｎは、コンビネーションドライブ制御信号ＳＯｃとしてドライブシステムコントローラ１３４に出力される。なお、高速再生倍数Ｎとしては、ユーザが指定する代わりに、光ディスク高速再生記録装置ＨＳＣで可能な最高再生速度に対応する値を設定するようにしてもよい。そして、制御は次のステップＳ８に進む。
【００５９】
ステップＳ８において、ドライブシステムコントローラ１３４は、高速再生倍数Ｎに基づいて、記録元光ディスクの回転数を決定して回転速度指示信号Ｓｒｎを生成して、速度切替器１３６に出力する。なお、回転速度指示信号Ｓｒｎが規定する回転数（角速度）は、光ディスクの種類およびその回転制御方法によっては、同一の再生速度であっても回転数は一定とは限らないことは上述の通りである。つまり、Ｎ倍の再生速度とはＮ倍の角速度の場合もあれば、そうでない場合もあることは言うまでもない。そして、制御は次のステップＳ１０に進む。
【００６０】
ステップＳ１０において、再生速度切替器１３６は、回転速度指示信号Ｓｒｎに基づいて、光ディスクドライブ１３２（ＣＤドライブ１３２＿１）に装着されている記録元の光ディスク（ＣＤ）を正規再生時のＮ倍の速さで回転させる。そして、制御は次のステップＳ１２に進む。
【００６１】
ステップＳ１２において、再生速度切替器１３６は、正規再生時のＮ倍の再生速度で回転されている光ディスク（ＣＤ）の読出位置における読出速度を検出して読出速度信号Ｓｒｓを生成して、光ディスク制御器１３８に出力する。つまり、読出速度信号Ｓｒｓは、光ディスクからデータが読み出されて、光ディスク制御器１３８に入力される速さに対応している。そして、制御は次のステップＳ１４に進む。
【００６２】
ステップＳ１４において、光ディスク制御器１３８は、読出速度信号Ｓｒｓに基づいて、光ディスクドライブ１３２（ＣＤドライブ１３２＿１）で、光ディスク（ＣＤ）の不安定高速再生領域Ａｒｅから正規再生時のＮ倍の再生速度で読み出されてくるデータ（ＣＤデータＳｃｄを正常再生時のＮ倍の速さで再生して、コンテンツデータ（オーディオデータ）Ｓａｄと管理データ（サブコード）Ｓｓｂを取り出して、読出データ検出器２００に出力する。そして、制御は次のステップＳ１６に進む。
【００６３】
ステップＳ１６において、読出データ検出器２００は、コンテンツデータ（オーディオデータ）Ｓａｄと管理データ（サブコード）Ｓｓｂに基づいて、再生状態を示す再生状態信号Ｓｊｒを生成して、オペレーションコントローラ３００に出力する。そして、制御は次のステップＳ１８に進む。
【００６４】
ステップＳ１８において、オペレーションコントローラ３００は、再生状態信号Ｓｊｒに基づいて、ユーザから指定されたＮ倍速で記録元の光ディスク（ＣＤ）の不安定高速再生領域Ａｒｅから記録データが正常に再生されているか否かが判断される。なお、本例においては、この判断は所定時間内に所定量の再生データが入力されることをもって正常再生と判断し、そうでないアンダーラン状態をもって再生不良と判断する。正常再生の場合は、Ｙｅｓと判断されるが、これは言い換えれば、この光ディスクは全体的にＮ倍速で高速再生できると認定することを意味する。この意味において、上述のステップＳ６〜ステップＳ１８における再生処理は、記録元光ディスクの記録領域の中で高速再生の悪影響を最も被りやすい部分での高速再生性能を評価し、その結果をもってその光ディスクの許容最高再生速度を決定する、光ディスクの許容最高再生速度評価ルーティンを構成している。そして、制御はステップＳ２０に進む。
【００６５】
ステップＳ２０において、許容最高再生速度倍数Ｎｍａｘとして高速再生速度倍数Ｎが設定される。そして、制御は次のステップＳ４２に進む。
【００６６】
上述のステップＳ１８においてＮｏ、つまり不安定高速再生領域ＡｒｅからのＮ倍高速再生が不良である場合は、この記録元光ディスクの許容最高再生速度倍数Ｎｍａｘは高速再生倍数Ｎより小さいと判断されて、制御はステップＳ２２に進む。
【００６７】
ステップＳ２２において、オペレーションコントローラ３００は高速再生倍数Ｎから減速値Ｖｐを減じて、準高速再生倍数Ｋを求める。減速値Ｖｐは、再生速度（回転速度）を少し減じてみて、光ディスク高速再生記録装置ＨＳＣにおける再生状態の回復をまつという観点から適宜決められる所定値である。但し減速値Ｖｐは高速再生倍数Ｎ−１以下であることが好ましい。つまり、減速値ＶｐがＮ−１の場合、準高速再生倍数Ｋは１となり、記録元光ディスク（ＣＤ）を正規再生速度で再生して再生状態の回復を狙うものである。そして、制御は次のステップＳ２４に進む。
【００６８】
ステップＳ２４において、オペレーションコントローラ３００は、さらに、準高速再生倍数Ｋが１より大きいか否かを判断する。Ｙｅｓ、つまり準高速再生倍数Ｋが１倍速より大きい場合には、高速再生倍数Ｎの代わりに準高速再生倍数Ｋをコンビネーションドライブ制御信号ＳＯｃとしてドライブシステムコントローラ１３４に出力する。ステップＳ２２およびＳ２４による処理は、上述のステップＳ６における処理と類似している。但し、ステップＳ６においてはユーザの指示（ユーザ指示信号ＳＵ）通りに高速再生倍数Ｎが決定されるが、本ステップにおいて再生不良状態を改善するために、高速再生倍数Ｎを予め定めておいた減速値Ｖｐだけ減速して準高速再生倍数Ｋが求められる点が異なる。そして、制御は次のステップＳ２８に進む。
【００６９】
なお、ステップＳ２４でＮｏ、つまり準高速再生倍数Ｋが１倍速以下の場合、制御は、ステップＳ２６をスキップしてステップＳ２８に進む。
【００７０】
ステップＳ２６において、準高速再生倍数Ｋが１に設定される。これは、１倍速以下にまで減速することを防止するものである。しかし、１倍速以下で再生することが望ましければ、ステップＳ２４でＫ＞０を判断し、本ステップＳ２６でＫ＝正の値と設定してもよい。そして制御は、ステップＳ２８に進む。
【００７１】
ステップＳ２８において、上述のステップＳ８におけるのと同様に、ドライブシステムコントローラ１３４は、準高速再生倍数Ｋに基づいて、記録元光ディスクの回転数（ｒｐｍ）を決定して回転速度指示信号Ｓｒｎを生成して、速度切替器１３６に出力する。なお、説明の便宜上、本ステップで生成される回転速度指示信号Ｓｒｎを減速回転速度指示信号Ｓｒｋと呼んで識別する。そして、制御は次のステップＳ３０に進む。
【００７２】
ステップＳ３０において、上述のステップＳ１０におけるのと同様に、再生速度切替器１３６は、減速回転速度指示信号Ｓｒｋに基づいて、光ディスクドライブ１３２（ＣＤドライブ１３２＿１）に装着されている記録元の光ディスク（ＣＤ）を正規再生時のＫ倍の速さで回転させる。そして、制御は次のステップＳ３２に進む。
【００７３】
ステップＳ３２において、上述のステップＳ１２におけるのと同様に、再生速度切替器１３６は、正規再生時のＫ倍の速さで回転されている光ディスク（ＣＤ）の不安定高速再生領域Ａｒｅにおける読出速度を検出して減速読出速度信号Ｓｋｓを生成して、光ディスク制御器１３８に出力する。なお、減速読出速度信号Ｓｋｓは、基本的に読出速度信号Ｓｒｓと同じであるが、その値が読出速度信号Ｓｒｓより小さい。そして、制御は次のステップＳ３４に進む。
【００７４】
ステップＳ３４において、上述のステップＳ１４におけるのと同様に、光ディスク制御器１３８は、減速読出速度信号Ｓｋｓに基づいて、光ディスクドライブ１３２（ＣＤドライブ１３２＿１）で、光ディスク（ＣＤ）の不安定高速再生領域Ａｒｅから正規再生時のＫ倍の速さで読み出されてくるデータ（ＣＤデータＳｃｄを正常再生時のＮ倍の速さで再生して、コンテンツデータ（オーディオデータ）Ｓａｄと管理データ（サブコード）Ｓｓｂ取り出して、読出データ検出器２００に出力する。そして、制御は次のステップＳ３６に進む。
【００７５】
ステップＳ３６において、上述のステップＳ１６におけるのと同様に、読出データ検出器２００は、コンテンツデータ（オーディオデータ）Ｓａｄと管理データ（サブコード）Ｓｓｂに基づいて、減速時の再生状態を示す減速再生状態信号Ｓｊｋを生成して、オペレーションコントローラ３００に出力する。そして、制御は次のステップＳ３８に進む。
【００７６】
ステップＳ３８において、上述のステップＳ１８におけるのと同様に、オペレーションコントローラ３００は、減速再生状態信号Ｓｊｋに基づいて、Ｋ倍速で記録元の光ディスク（ＣＤ）の不安定高速再生領域Ａｒｅから記録データが正常に再生されているか否かが判断される。そして、Ｙｅｓと判断される場合は、この光ディスクは全体的にＫ倍速で高速再生できると認定することを意味する。そして、制御は上述のステップＳ４０に進む。
【００７７】
一方、Ｎｏの場合は、現在の準高速再生倍数Ｋに相当するＫ倍速で、この記録元光ディスクを全体的に高速再生出来ないと認定することを意味する。そして、制御は上述のステップＳ２２に戻り、ステップＳ２４〜Ｓ３６の処理を経て、本ステップＳ３８で、再度、この記録元光ディスクを現在の準高速再生倍数Ｋで再生できるか否かが判断される。
【００７８】
このように、ステップＳ２２〜Ｓ３８に、上述のステップＳ６〜Ｓ１８における処理と同様に、光ディスクの許容最高再生速度を決定する、光ディスクの許容最高再生速度評価ルーティンを構成している。しかしながら、ステップＳ６〜Ｓ１８が光ディスク高速再生記録装置ＨＳＣ或いはユーザの指定する倍速値がそのまま許容最高再生速度倍数Ｎｍａｘとして設定される。それ故に、記録元光ディスクの本来の許容最高再生速度を検出していない可能性がある。これに対しては、高速再生倍数Ｎの光ディスクの製造品質に基づいて適正に設定することによって有効に対策可能である。
【００７９】
一方、ステップＳ６〜Ｓ１８においては、記録元光ディスクの本来の許容最高許容速度がＮ倍速以下である場合に、光ディスク高速再生記録装置ＨＳＣで使用される場合の許容最高再生速度を実際的に求めることができる。なお、減速値Ｖｐの値を小さくすれば、許容最高再生速度をより正確に求めることができるが、あまり小さくすると、許容最高再生速度を求めるに時間を要して実際的ではなくなる。
【００８０】
ステップＳ４０において、許容最高再生速度倍数Ｎｍａｘとして準高速再生倍数Ｋが設定される。そして、制御は次のステップＳ４２に進む。
【００８１】
ステップＳ４２において、許容最高再生速度倍数Ｎｍａｘで記録元光ディスクの最初の読出位置から高速再生を開始する。そして、制御は次のステップＳ４４に進む。
【００８２】
ステップＳ４４において、ＭＤドライブ２３０＿１が、書込／書換可能光ディスク２３０＿５に入力されてきたコンテンツデータＳａｄを書き込めるだけの容量があるか否かを判断する。容量が十分にある場合は、Ｙｅｓと判断されて、制御はステップＳ４６に進む。
【００８３】
ステップＳ４６において、読出データ検出器２００を介して、ＭＤドライブ２３０に入力されたコンテンツデータＳａｄは、書込読出器２３０＿３によって、書込／書換可能光ディスク（ＭＤ）２３０＿５に、所定の記録単位で書き込む。なお、記録単位は、本発明においては、セクタ単位、トラック単位、記録元或いは記録先の光ディスク単位であってもよいが、本実施の形態においてはセクタよりも小さな単位が好ましい。よって、記録元の光ディスク（ＣＤ）から逐次読み出されたコンテンツデータＳａｄは、セクタより小さな記録単位で、書込／書換可能光ディスク２３０＿５に書き込まれる。
【００８４】
このように、本実施の形態においては、上述の許容最高再生速度評価ルーティン（ステップＳ６〜Ｓ１８／ステップＳ２２〜Ｓ３８）で、記録元光ディスクから読み出し再生されたデータは、許容最高再生速度評価に使用されるだけで、記録先光ディスクに記録されることはない。しかしながら、許容最高再生速度評価に使用されると同時に記録先光ディスクの所定の場所に書き込んでおいて、本ステップにおける再生時には不安定高速再生領域Ａｒｅの再生をスキップすることで重複再生記録を避けて総所要時間の短縮を図ることも有効である。特に、ＣＤのようなＣＬＶ制御される光ディスクにおいては、不安定高速再生領域Ａｒｅが記録領域Ａｒの再内周側に位置する場合には好都合である。そして、制御は次のステップＳ４８に進む。
【００８５】
ステップＳ４８において、ステップＳ２０における、コンテンツデータＳａｄの書込／書換可能光ディスク２３０＿５（ＭＤ）への書込に関するＵＴＯＣ情報がＭＤシステムコントローラ２３０＿１によって生成されて、書込／書換可能光ディスク２３０＿５（ＭＤ）のＵＴＯＣ領域に書き込まれる。そして、制御は、次のステップＳ５０に進む。
【００８６】
ステップＳ５０において、オペレーションコントローラ３００によって、記録元光ディスクの再生が完了しているか否かが判断される。Ｙｅｓと判断される場合、光ディスク高速再生記録装置ＨＳＣの高速再生記録動作を終了する。一方、Ｎｏと判断される場合は、制御は上述のステップＳ４４に戻り、引き続き許容最高再生速度（Ｎ）で記録領域Ａｒの未記録部分を再生する。
【００８７】
なお、上述のステップＳ４４においてＮｏ、つまり記録元光ディスク（ＣＤ）の再生記録データ量に対して、記録先光ディスク（ＭＤ）の記録容量が不足している場合には、制御はステップＳ５２に進む。
【００８８】
ステップＳ５２において、例えば、記録先光ディスク（ＭＤ）の記録容量不足等を表示部４００に表示するなどの所定のエラー処理が行われて、制御は終了する。
【００８９】
上述のように構成することによって、本発明にかかる高速再生記録装置ＨＳＣにおいては、個々の光ディスクに適した再生速度でデータ不良を引き起こすことなく高速再生して書込可能光ディスクに記録できる。
【００９０】
また、光ディスク高速再生記録装置ＨＳＣは、好ましくは、記録元の光ディスクとしてＣＤを用い、書込／書換可能光ディスクとしてＭＤ用いる。但し、記録元の光ディスクとしては、コンビネーションドライブ１３０に装着できるＣＤ、ＤＶＤ、およびＶＣＤを代表とする光ディスクを用いることができる。さらに、書込／書換可能光ディスクとしては、ＵＴＯＣ情報のように、記録するデータの管理情報をユーザ側で記録できる、ＣＤ−ＲＷやＤＶＤ−ＲＷに代表される光ディスクを用いることができる。
【００９１】
また、不安定高速再生領域Ａｒｅと記録領域Ａｒとは、基本的に、図３、図４、図５、および図６を参照して説明した関係である。しかしながら、光ディスク高速再生記録装置ＨＳＣの特性あるいは、記録元光ディスクの製造品質などの単独或いは組み合わせによって、不安定高速再生領域Ａｒｅは適切に定めることが出来る。つまり、不安定高速再生領域Ａｒｅは使用される光ディスク高速再生記録装置ＨＳＣにおいて、記録元光ディスクを高速再生した時に他の記録領域と比べて再生不良が発生し易い部分を適宜選択される。
【図面の簡単な説明】
【図１】本発明の実施の形態にかかる光ディスク高速再生記録装置の構成を示すブロック図である。
【図２】図１に示した光ディスク高速再生記録装置の動作を示すフローチャートである。
【図３】ＣＬＶ方式の光ディスクにおける不安定高速再生領域と外周側安定高速再生領域との関係の一例の説明図である。
【図４】ＣＡＶ方式の光ディスクにおける不安定高速再生領域と内周側安定高速再生領域との関係の一例の説明図である。
【図５】ＺＣＬＶ方式の光ディスクにおける内周側安定高速再生領域と、不安定高速再生領域と、外周側安定高速再生領域との関係の一例の説明図である。
【図６】ＺＣＡＶ方式の光ディスクにおける内周側安定高速再生領域と、不安定高速再生領域と、外周側安定高速再生領域との関係の一例の説明図である。
【符号の説明】
ＨＳＣ　光ディスク高速再生記録装置
１３０　コンビネーションドライブ
１３２＿１　ＣＤドライブ
１３２＿２　ＤＶＤドライブ
１３２＿３　ＶＣＤドライブ
１３２＿４　ＭＰ３ドライブ
１３４　ドライブシステムコントローラ
１３６　再生速度切替器
１３８　光ディスク制御器
２００　読出データ検出器
２３０　ＭＤドライブ
２３０＿１　ＭＤシステムコントローラ
２３０＿３　書込読出器
２３０＿５　書込／書換可能光ディスク
３００　オペレーションコントローラ
３２０　受光器
３３０　リモコン
４００　表示部
【図１】
2004046953.tif 000003
【図２】
2004046953.tif 000004
【図３】
2004046953.tif 000005
【図４】
2004046953.tif 000006
【図５】
2004046953.tif 000007
【図６】
2004046953.tif 000008